(57)【要約】【課題】            ボルト結合型蓋体において、ナット組み付けの際にナットの位置合わせが容易化されかつボルト結合を著しく容易に行えるようにする。【解決手段】        受枠１３にボルト結合する蓋体１１におけるナット保持装置２０。蓋体１１の表面から取り付けるボルト１５に対して裏面側にて螺合可能なナット１６を回転しないように保持するナット保持手段２１と、ナット保持手段２１を受枠１３に着脱可能に取り付けるために受枠側に設けられた取り付け部１８と、ナット保持手段２１が取り付け部１８から抜け出さないように固定しておく固定手段３０とから構成される。【選択図】          図３
2005054415.tif 000002
【特許請求の範囲】
【請求項１】
受枠にボルト結合する蓋体において、蓋体の表面から取り付けるボルトに対して裏面側にて螺合可能なナットを回転しないように保持するナット保持手段と、ナット保持手段を受枠に着脱可能に取り付けるために受枠側に設けられた取り付け部と、ナット保持手段が取り付け部から抜け出さないように固定しておく固定手段とを有して構成されたボルト結合型蓋体におけるナット保持装置。
【請求項２】
ナット保持手段は、ナットを係合させて回転しないように収める凹部を有し、かつ受枠側の取り付け部に設けられている、ほぼ平行な左右のガイドに係止する係止部を有している請求項１記載のボルト結合型蓋体におけるナット保持装置。
【請求項３】
固定手段は、受枠側の取り付け部に上方から取り付けて、その取り付け部の左右及び内方を囲むように固定する３個の固定腕を有し、かつ取り付け部に固定したままでボルトを通す通し穴を有し、通し穴には、受枠側の取り付け部に形成されたボルト孔の縁への掛止部が設けられている請求項１又は２記載のボルト結合型蓋体におけるナット保持装置。
【発明の詳細な説明】
【技術分野】
【０００１】
本発明は受枠にボルト結合する蓋体におけるナット保持装置に関する。
【背景技術】
【０００２】
例えば図１に示してある親子蓋の親蓋や、密閉型鉄蓋などは、受枠に鉄蓋をボルト結合した構造を有する。この場合、受枠に組み付けておくナットに、鉄蓋の表面からボルト穴を通してボルトを差し込み締結する方法が取られているが、ナットはフリーなままか、或いは溶接される。フリーなままでは鉄蓋と受枠が締結されていなければ紛失の可能性が高く、締結の都度面倒な位置合わせを強いられる。他方、ナットを受枠側に溶接するとなると、溶接という作業性の悪さが問題となる。また、マンホール設置後にナットを取り外す必要が生じた場合には現場でナットを取り外さなければならないが、その作業はさらに困難である。
【発明の開示】
【発明が解決しようとする課題】
【０００３】
本発明は前記の点に着目してなされたもので、その課題は、ボルト結合型蓋体におい
て、ナット組み付けの際にナットの位置合わせが容易化されかつボルト結合を著しく容易に行なえるようにすることである。また本発明の他の課題は、マンホール設置後にナットを取り外す必要が生じた場合でもこれをワンタッチで取り外せるようにすることである。
【課題を解決するための手段】
【０００４】
前記の課題を解決するため、本発明は受枠にボルト結合する蓋体におけるナット保持装置を、蓋体の表面から取り付けるボルトに対して裏面にて螺合可能なナットを回転しないように保持するナット保持手段と、ナット保持手段を受枠に着脱可能に取り付けるために受枠側に設けられた取り付け部と、ナット保持手段が取り付け部から抜け出さないように固定しておく固定手段とを有して構成するという手段を講じたものである。
【０００５】
本発明に係るボルト結合型蓋体は、所謂マンホールその他の地下構造物類に使用されるものである。この種の蓋体は、例えばダクタイル鋳鉄から成る鋳造品が主であるが、本発明はそれに限定されるべきではない。またこのボルト結合型蓋体は、受枠と蓋体がボルト結合により一体化するものを指し、ボルトの螺合相手としてナットを有するものが対象となる。
【０００６】
本発明を構成する要素として、ナット保持手段と、それを受枠に取り付ける取り付け部と、ナット保持手段の固定手段とが必要である。これらは、ナットが回転しないように、また下方にも上方にも抜け出さず、しかも必要があれば容易に取り外せるように設けられている。
【０００７】
その内で、ナット保持手段は、蓋体の表面から取り付けるナットに対して裏面から螺合可能なナットを回転しないように保持する。そのナット保持手段はナットを収めたときにナットと係合することによって回転を止めるために、係合凹部の形態を取ることができ
る。
【０００８】
取り付け部は、ナット保持手段を受枠に着脱可能に取り付けるもので、受枠側に設けられている。着脱可能とするのは必要時にナットを取り外すことができるようにするためである。ナット保持手段を着脱可能とする手段として、受枠側の取り付け部にほぼ平行に左右のガイドを設け、それにナット保持手段を係止部にて係止させる構成とすることが望ましい。
【０００９】
固定手段は、着脱可能としたナット保持手段の抜け止めのために設けられる。固定手段の具体的形態は自由に決められる。１例としては、受枠側の取り付け部に上方から取り付けて、その取り付け部の左右及び内方を囲むように或いは包むように固定する、３個の固定腕を有するものを示すことができる。
【００１０】
固定手段を、受枠側の取り付け部に固定したままでボルトを通すことを可能にするために、固定手段の一部に通し穴を設けることができ、通し穴には、受枠側の取り付け部に形成された、ボルトの孔の縁への掛止部を設け、固定手段の抜け止めとすることができる。掛止部による固定手段の抜け止めは、ナット保持手段の抜け止めでもある。
【発明の効果】
【００１１】
本発明は上記のような構成を有しかつ作用するものであるから、ナットは、ナット保持手段によって保持された状態で受枠側の取り付け部に取り付けられ、かつ、固定手段によって抜け出しを防止された状態に置かれるので、ナット取り付けの際にナットの位置合わせが著しく容易に行えるとともに、ナット保持手段は着脱可能に設けられているので、マンホール設置後にナットを取り外す必要が生じた場合でも、ワンタッチで取り外すことができるという効果を奏する。
【発明を実施するための最良の形態】
【００１２】
以下図示の実施形態により本発明をより詳細に説明する。図１は、親子蓋１０に本発明を適用した例を示しており、１１は蓋体としての組蓋、１２は子蓋、１３は受枠であり、蓋体１１を受け支えて、さらにボルト結合する構成を有している。
【００１３】
例示の蓋体１１は数箇所のボルト結合部１４を有しており、各部は図２に詳細に示されているように、各１個のボルト１５とナット１６とを有している。１７は蓋体１１に形成されたボルト孔、１８はナット１６を受け止める受枠側の取り付け部であり、蓋体同様のボルト孔１９を有している。
【００１４】
ナット保持装置２０は、図３に例示してあるように、さらに、ナット保持手段２１と、固定手段３０とを有する。ナット保持手段２１は、ナット１６と相似の平面形を有しかつナット１６よりも一回り大きい大きさを持つ凹部２２を有することにより、ナット１６と係合し、回転しないように保持する。
【００１５】
またナット保持手段２１には、左右に張り出した係止部２３，２４が設けられており、受枠側の取り付け部１８の下部に設けてあるＬ字型のほぼ平行な左右のガイド２５、２６と係止し、前後にスライドさせることによって、着脱可能とした構成を有している。な
お、ガイド２５、２６は下部の左右のみならず上部にも設けて上下２対でナット保持手段２１を保持する取り付け部１８を形成し、かつナット保持手段２１の凹部２２を下に向けて取り付けることも可能であり、その場合にはボルト孔１９を開設する必要がない。２７は、ボルト逃げ孔を示す。
【００１６】
固定手段３０は、受枠側の取り付け部１８にナット保持手段２１を取り付けたまま、取り付け部１８の左右及び内方を囲むように設けた、３個の固定腕３１、３２、３３を有している。その内、左右の固定腕３１、３２は取り付け片１８の下側を抱えるように曲げられており、内方の固定腕３３にはナット保持手段２１を定位置に押さえる押さえ片３４が設けられている。また、固定手段３０にはボルト１５を通す通し穴３５が形成されており、通し穴３５には、取り付け部１８のボルト孔１９の縁に掛止する掛止部３６が形成されている。
【００１７】
このような構成を有する本発明のボルト結合型蓋体におけるナット保持装置２０では、ナット１６をナット保持手段２１の凹部２２に嵌め込んで係合させ、そのナット保持手段２１を取り付け部１８に係止部２３、２４とガイド２５、２６を利用して押し込み、さらに、固定腕３１、３２、３３を外へ開き気味にして固定手段３０を取り付け部１８に装着し、掛止部３６をボルト孔１９の縁に掛止させるものとする。その結果固定手段３０が受枠側の取り付け部１８に上下左右及び内外方向のいずれの方向にも動けない状態に固定されるので、ナット保持手段２１は定位置に固定されることとなり、及びそれに係合しているナット１６も定位置に組み付けられることになる。
【００１８】
従って、蓋体１１の表面からボルト孔１７、１９を通してボルト１５を差し込むと、ボルト先端は正確にナット１６の雌ねじ部に導かれて正しく螺合する。ボルト結合されている状態は図２に詳細に示したとおりとなる。このようにして設置後にナット１６を取り外す必要が生じた場合には、ボルト１５を抜き去ってから固定手段３０を外へ開き気味に曲げて外し、ナット保持手段２１を受枠側の取り付け部１８から抜き出して、簡単にナット１６を取り外すことができる。
【産業上の利用可能性】
【００１９】
本発明に係るボルト結合型蓋体におけるナット保持装置は以上説明した内容を有するものであるから、地下構造物に適用される蓋体や、地上、若しくは屋上等に設置される各種タンク類に適用される蓋体などに利用可能である。
【図面の簡単な説明】
【００２０】
【図１】本発明に係るナット保持装置の実施形態の１例を適用したボルト結合型蓋体の平面図。
【図２】図１のＩＩ‐ＩＩ線断面図。
【図３】同じく本願発明装置の実施形態を示す分解斜視図。
【符号の説明】
【００２１】
１０  親子蓋
１１  蓋体
１３  受枠
１５  ボルト
１６  ナット
１７、１９  ボルト孔
１８  取り付け部
２０  ナット保持装置
２１  ナット保持手段
２２  凹部
２３、２４  係止部
２５、２６  ガイド部
３０  固定手段
３１、３２、３３  固定腕
【図１】
2005054415.tif 000003
【図２】
2005054415.tif 000004
【図３】
2005054415.tif 000005